(57)【要約】      （修正有）【課題】高価な化粧品を電磁波スモッグによる品質劣化等から防護し、また中の液漏れ等や汚れも簡単に拭き取ることができ、中で収容物がいつも気持ちよく整然と保管され、手触りも良くステキに見えるポーチを提供する。【解決手段】電磁波シールド生地２を間に挟んで４層の生地で形成し、ポケット内面に当たる裏内生地３は撥水性素材を用い、ポケット内面壁に４つの小内ポケット７を形成し、バネ口等で左右の両端に亘って上方に開口する。【選択図】図３
2014057816.tif 000002
【特許請求の範囲】
【請求項１】
左右の両端に亘って開口するポケット部及び開口部に設けたバネ口開閉部より成るポーチにおいて、ポケット部は、外側から向かって順に、外側全面の表生地、ドイツ製シルバレルのような電磁波シールド生地、撥水裏生地、そして同じ撥水生地を用いて一番内側に小内ポケット生地という４層構造に形成され、表生地はポケット部底面から周壁の全面を覆いつつ、そのまま連続してバネ口開閉部までポーチ外側全面を覆い尽くす形で配設され、電磁波シールド生地と撥水裏生地は、ポーチ内側全面におけるバネ口開閉部を除くポケット部領域の内側の全面を覆う形で配設され、一番内側の小内ポケット生地は、ポケット内底から撥水裏生地の上端縁よりも少し下がった地点までをカバーする形で配設されるのであるが、ポケット部内側において、バネ口と平行して細長に配設される底面部は、幅数センチの間隔で設けた２本の平行線を成す底面縁取り縫い目線によってマチ状に形成され、更にバネ口開閉部の真ん中の対向する２点からポケット部内側壁面に沿い、底面縁取り縫い目線の真ん中に突き当たるところの内壁面縫い目線が配設され、この２種の縫い目線は、共に表生地を除く内側３層を重ねて縫合した縫い目として形成され、それによって内壁面に沿って４つの小内ポケットが形成されることを特徴とするエッセンス＆レメディー用安心ポーチ。
【発明の詳細な説明】
【技術分野】
【０００１】  本発明は、丈夫であると共に、中の収容物を電磁波から防護し、撥水性をも備えたポーチに関するものである。
【背景技術】
【０００２】  従来、耐摩耗性・弾性に富む不織布及びその二次加工品を用いて形成されるカバン類やポーチ類があった（特許文献１参照）。先行技術として、電磁波シールド等の身体保護用品（特許文献２参照）や電磁波遮蔽作用を期待した持ち運び用アルミ箔入り袋物（特許文献３参照）も知られている。また、撥水性の素材を用いた自在間仕切りポーチ（特許文献４参照）等も知られている。
【先行技術文献】
【０００３】
【特許文献１】  特許公開２００１−１７１０２８号  公報
【特許文献２】  特許公開２０１０−４３３７０号  公報
【特許文献３】  登録実用新安第３０７７１３４号  公報
【特許文献４】  登録実用新安第３０５４５８３号  公報
【発明の概要】
【発明が解決しようとする課題】
【０００４】  そのため、次のような問題点があった。
（イ）文献１に示されるものは、熱や摩耗等に対する耐性に優れた素材の発明に関するもので、数多い用途の一つとしてポーチの製作にも向いているだろうというに過ぎず、ポーチの具体的な構成は考慮の外にある。
（ロ）文献２に示されるものは、電磁波からの身体防護用の諸品を製作するにおいて、電磁波シールドクロスを用いるのが有効であるという主張であり、この素材の利用に適した製作用途の一つとして、たまたまポーチが挙げられているに過ぎず、ポーチの具体的な構成は考慮の外にある。
（ハ）文献３に示されるものは、様々な袋物を製作するにあたって、生地素材の間にアルミ箔をサンドイッチしたものを利用することで、袋の中の収容物を電磁波から遮蔽しようというものであり、そうした袋物の一つとしてポーチが挙げられているに過ぎず、ポーチの具体的な構成は考慮の外にある。
（二）文献４に示されるものは、便利な間仕切り自在の構成を有するポーチであって、本体に撥水性の素材を用いる可能性にもチラッと触れているが、本発明とは構造的には大きく異なるものであり、電磁波に対する防護に関しては考慮されていない。
本発明は、これらの問題点を解決するためになされたものである。
【課題を解決するための手段】
【０００５】  左右の両端に亘って開口するポケット部及び開口部に設けたバネ口開閉部より成るポーチにおいて、ポケット部は、外側から向かって順に、外側全面の表生地、ドイツ製シルバレルのような電磁波シールド生地、撥水裏生地、そして同じ撥水生地を用いて一番内側に小内ポケット生地という４層構造に形成され、表生地はポケット部底面から周壁の全面を覆いつつ、そのまま連続してバネ口開閉部までポーチ外側全面を覆い尽くす形で配設され、電磁波シールド生地と撥水裏生地は、ポーチ内側全面におけるバネ口開閉部を除くポケット部領域の内側の全面を覆う形で配設され、一番内側の小内ポケット生地は、ポケット内底から撥水裏生地の上端縁よりも少し下がった地点までをカバーする形で配設されるのであるが、ポケット部内側において、バネ口と平行して細長に配設される底面部は、幅数センチの間隔で設けた２本の平行線を成す底面縁取り縫い目線によってマチ状に形成され、更にバネ口開閉部の真ん中の対向する２点からポケット部内側壁面に沿い、底面縁取り縫い目線の真ん中に突き当たるところの内壁面縫い目線が配設され、この２種の縫い目線は、共に表生地を除く内側３層を重ねて縫合した縫い目として形成され、それによって内壁面に沿って４つの小内ポケットが形成される。
以上を特徴とするエッセンス＆レメディー用安心ポーチである。
【発明の効果】
【０００６】  電磁波シールド生地を含めて、生地材を４層に重ね合わせて形成されているので、アロマオイル、エッセンス類、ホメオパシーレメディーや化粧品等の品質を電磁波スモッグから護ることができる。ポケット内部が撥水裏生地によって形成されているので、化粧品ボトルからの液漏れや汚れ等もサッと簡単に拭き取ることができる。ポケット部内側中央に一筋の縫い目を入れてあるので、ポケット内面の生地の偏り等を防ぎ、収容物の保管状態が常に整然と気持ちよく保たれる。また、電磁波シールド生地は金属的な硬さはなく、綿と同様の柔らかい材質なので、ポーチの形状や手触り感も何ら違和感なく使用できる。
【図面の簡単な説明】
【０００７】
【図１】  本発明の外観斜視図
【図２】  本発明をバネ口開閉部において開口した状態を示す斜視図
【図３】  本発明の一部であるポケット部の４層構造を分かりやすく示した斜視図
【図４】  本発明のポーチ内部の構造を、バネ口開閉部を大きく開いて見せている状態を示した平面図
【発明を実施するための形態】
【０００８】  以下、本発明の実施の形態について説明する。
左右の両端に亘って開口するポケット部（４）及び開口部に設けたバネ口開閉部（５）より成るポーチにおいて、ポケット部（４）は、外側から向かって順に、外側全面の表生地（１）、ドイツ製シルバレルのような電磁波シールド生地（２）、撥水裏生地（３）、そして同じ撥水生地を用いて一番内側に小内ポケット生地（７）という４層構造に形成され、表生地（１）はポケット部（４）底面から周壁の全面を覆いつつ、そのまま連続してバネ口開閉部（５）までポーチ外側全面を覆い尽くす形で配設され、電磁波シールド生地（２）と撥水裏生地（３）は、ポーチ内側全面におけるバネ口開閉部（５）を除くポケット部（４）領域の内側の全面を覆う形で配設され、一番内側の小内ポケット生地（７）は、ポケット内底から撥水裏生地（３）の上端縁よりも少し下がった地点までをカバーする形で配設されるのであるが、ポケット部（４）内側において、バネ口と平行して細長に配設される底面部は、幅数センチの間隔で設けた２本の平行線を成す底面縁取り縫い目線（６）によってマチ状に形成され、更にバネ口開閉部（５）の真ん中の対向する２点からポケット部（４）内側壁面に沿い、底面縁取り縫い目線（６）の真ん中に突き当たるところの内壁面縫い目線（８）が配設され、この２種の縫い目線は、共に表生地（１）を除く内側３層を重ねて縫合した縫い目として形成され、それによって内壁面に沿って４つの小内ポケットが形成される。
本発明は以上のような構成で、以下その実施形態を説明する。
電磁波シールド生地を含めて、生地材を４層に重ね合わせて形成されているので、アロマオイル、エッセンス類、ホメオパシーレメディーや化粧品等の品質を電磁波スモッグから護る事ができる。ポケットの内側が撥水裏生地によって形成されているので、化粧品ボトルからの液漏れや汚れ等もサッと簡単に拭き取ることができる。ポケット部内側中央に一筋の縫い目を入れてあるので、ポケット内面の生地の偏り等を防ぎ、収容物の保管状態が常に整然と気持ちよく保たれる。また、電磁波シールド生地は金属的な硬さはなく、綿と同様の柔らかい材質なので、ポーチの形状や手触り感も何ら違和感なく使用できる。
【符号の説明】
【０００９】１  表生地，  ２  電磁波シールド生地，  ３  撥水裏生地，  ４  ポケット部，
５  バネ口開閉部，  ６  底面縁取り縫い目線，  ７  小内ポケット生地，
８  内壁面縫い目線
【図１】
2014057816.tif 000003
【図２】
2014057816.tif 000004
【図３】
2014057816.tif 000005
【図４】
2014057816.tif 000006